(57)【要約】【課題】小型化が図られ、コンタクトピンがバネ性を十分に有し、コンタクトピンが短く構成され、且つ、種類の異なるモジュラプラグがプラグ挿入穴に挿入されたときに奥まで挿入されることを防止するモジュラジャックの提供。【解決手段】凸部３１Ａは、平行に配置された８本のコンタクトピン３Ｂのうちの両端のコンタクトピン３Ｂの近傍であってこれらのコンタクトピン３Ｂの前方に設けられており、ＲＪ１１タイプのモジュラプラグがプラグ挿入穴３ａ内に挿入されたときに、当該モジュラプラグの前端面３Ａの下端部に当接する程度の大きさを有する。コンタクトピン３Ｂは折り曲げ部Ｘと第２折り曲げ部Ｙと第３折り曲げ部Ｚとを有する。Ｗ点を支点として、Ｗ点から自由端Ｆまでの部分は後方へ回動可能である。【選択図】図２
2012123938.tif 000002
【特許請求の範囲】
【請求項１】
背壁と該背壁にそれぞれ一端部が接続された上壁、下壁、及び一対の側壁とを有し、上壁の他端、下壁の他端、及び一対の側壁の他端により前端面が規定され、上壁と背壁と下壁と一対の側壁とにより画成され該前端面に開口するプラグ挿入穴が形成されたハウジングと、
該ハウジング内に配置され、少なくとも一部が該プラグ挿入穴内に平行に配列された複数のコンタクトピンと、を備え、
少なくとも各該コンタクトピンは、該背壁から該下壁の該開口寄りの部分に至るまで延び、該開口寄りの端部が自由端部をなし、該背壁の近傍に配置された部分が基端側の部分をなし、
該コンタクトピンの該基端側の部分は、支点部と、該支点部よりも該自由端寄りの部分において該下壁の該開口寄りの部分へ向かう方向へ折り曲げられた折り曲げ部とを有し、該折り曲げ部と自由端との間の部分の一部は、該プラグ挿入穴に挿入されたモジュラプラグの端子に接触可能であり、該支点部から該折り曲げ部までの部分は該支点部を中心として反開口方向へ弾性変形して湾曲可能であり、
該下壁の面であって該プラグ挿入穴を画成している面には、該配列された該複数のコンタクトピンの内の少なくとも両端の列の該コンタクトピンの近傍の該開口寄りに設けられ、該プラグ挿入穴の内方へ突出し、該モジュラプラグの溝に収容可能な凸部が設けられていることを特徴とするモジュラジャック。
【請求項２】
該コンタクトピンは、該折り曲げ部よりも該自由端寄りの部分であって該自由端近傍の部分において該下壁に向かう方向へ折り曲げられた第２折り曲げ部を有し、該第１折り曲げ部と該第２折り曲げ部との間の部分の一部は、該プラグ挿入穴に挿入された該モジュラプラグの端子に接触可能であることを特徴とする請求項１記載のモジュラジャック。
【請求項３】
該コンタクトピンは、該第２折り曲げ部よりも該自由端寄りの部分において該前端面に向かう方向へ折り曲げられた第３折り曲げ部を有することを特徴とする請求項２記載のモジュラジャック。
【請求項４】
底壁と該底壁にそれぞれ一端部が接続された前壁、背壁、及び一対の側壁とを有し、前壁の他端、背壁の他端、及び一対の側壁の他端により上端面が規定され、前壁と背壁と下壁と一対の側壁とにより画成され該上端面に開口するプラグ挿入穴が形成されたハウジングと、
該ハウジング内に配置され、少なくとも一部が該プラグ挿入穴内に平行に配列された複数のコンタクトピンと、を備え、
少なくとも各該コンタクトピンは、該背壁から該下壁に至るまで延び、該下壁に配置された端部が自由端部をなし、該背壁の近傍に配置された部分が基端側の部分をなし、
該コンタクトピンの該基端側の部分は、支点部と、該支点部よりも該自由端寄りの部分において該プラグ挿入穴の内方へ折り曲げられた第１折り曲げ部と、該第１折り曲げ部よりも該自由端寄りの部分であって該第１折り曲げ部の近傍の部分において該下壁へ向かう方向へ折り曲げられた第２折り曲げ部とを有し、該第２折り曲げ部と自由端との間の部分の一部は、該プラグ挿入穴に挿入されたモジュラプラグの端子に接触可能であり、該支点部から該第１折り曲げ部までの部分は該支点部を中心として該プラグ挿入穴の外方へ弾性変形することにより湾曲可能であり、
該背壁の面であって該プラグ挿入穴を画成している面は、該配列された該複数のコンタクトピンの内の少なくとも両端の列の該コンタクトピンの近傍の該開口寄りに設けられ、該プラグ挿入穴の内方へ突出し、該モジュラプラグの溝に収容可能な凸部を備えることを特徴とするモジュラジャック。
【請求項５】
該コンタクトピンは、該第２折り曲げ部よりも該自由端寄りの部分であって該第２折り曲げ部近傍の部分において該下壁に向かう方向且つ前壁に向かう方向へ折り曲げられた第３折り曲げ部を有し、該第３折り曲げ部と該自由端との間の部分の一部は、該プラグ挿入穴に挿入されたモジュラプラグの端子に接触可能であることを特徴とする請求項４記載のモジュラジャック。
【発明の詳細な説明】
【技術分野】
【０００１】
本発明はモジュラジャックに関する。
【背景技術】
【０００２】
テレビ等の電気機器には、データ通信を行うためにＬＡＮケーブル等のプラグが接続されるモジュラジャックが設けられている。モジュラジャックは、ＬＡＮケーブル等のコネクタが挿入されるプラグ挿入穴が形成されたハウジングと、ハウジング内に設けられ、一部がプラグ挿入穴内に平行に配列された複数のコンタクトピンとを有しており、実装基板に実装される。
【０００３】
コンタクトピンの数は、モジュラジャックの種類によって異なっており、例えば、ＲＪ４５タイプのモジュラジャックの場合には８本であり、ＲＪ１１タイプのモジュラジャックの場合には６本である。従って、モジュラジャックに挿入されるモジュラプラグの形状も種類によって異なっている。このため、異なる種類のモジュラプラグがモジュラジャックに挿入されることを防止するための突起部が、モジュラジャックのコンタクトピンの近傍であってコンタクトピンよりもプラグ挿入穴の開口寄りの部分に設けられている。このようなモジュラジャックは、例えば、特開２００７−９５５３８号公報（特許文献１）に記載されている。
【０００４】
また、モジュラジャックは実装基板上に配置されて用いられることがあるが、このようなモジュラジャックの中には、プラグ挿入穴が実装基板の上方に向けて開口しているものがある。このようなモジュラジャックは、例えば、特開平０７−２４５１４７号公報（特許文献２）に記載されている。
【０００５】
近年コンタクトピンの長さを短くしてモジュラジャックの製造に係る費用を低減することが要求されている。しかし、前述した特許文献１記載のモジュラジャックでは、プラグ挿入穴を画成しハウジングを構成する壁部内部に当該壁部に沿ってコンタクトピンの一部が配置され、プラグ挿入穴の開口近傍において鋭角に折り返されていた。そして、当該折り返された部分から自由端に至るまでの部分はプラグ挿入穴内に配置され、プラグ挿入穴に挿入されるモジュラプラグの端子に接触可能に構成されていた。
【０００６】
このような構成において、コンタクトピンの長さを短くするために、当該壁部内部に当該壁部に沿って配置されたコンタクトピンの部分を短くした場合には、プラグ挿入穴の開口からコンタクトピンが鋭角に折り曲げられた部分までの距離が長く構成される場合がある。このような場合には、モジュラプラグがプラグ挿入穴に挿入された際に、モジュラプラグの端子がコンタクトピンに接触する当該コンタクトピンの位置が当該鋭角に折り曲げられた部分の近傍位置となり、コンタクトピンのバネ性を十分に発揮することができない。
【０００７】
また、バネ性を十分に有する構成とするためには、例えば、特開平１１−１３５１８２号公報（特許文献３）に記載されているように、鋭角に折り曲げるのではなく、半円状に湾曲させた構成のコンタクトピンが知られている。半円状の部分の半径を所定の大きさ以上とすることにより十分なバネ性を有する構成とすることができる。
【先行技術文献】
【特許文献】
【０００８】
【特許文献１】特開２００７−９５５３８号公報
【特許文献２】特開平０７−２４５１４７号公報
【特許文献３】特開平１１−１３５１８２号公報
【発明の概要】
【発明が解決しようとする課題】
【０００９】
近年電子機器の薄型化が要求されており、これに伴いモジュラジャックも低背化による小型化が要求されている。モジュラジャックを低背化するためには、例えば、ハウジングを構成しプラグ挿入穴を画成している壁部であって実装基板に対向配置され固定される壁部を薄くすることが考えられる。
【００１０】
しかし、従来のモジュラジャックでは、薄くしようとする当該壁部内部に当該壁部に沿ってコンタクトピンの一部が配置され、特に特許文献３記載のモジュラジャックでは、半円状に湾曲している部分が当該壁部内部に配置されている。半円状の部分は、バネ性を十分に持たせるためには所定の大きさの半径とする必要があるが、壁部を薄くした場合に、薄くした壁部から当該半円状の部分が大きく突出しないようにするためには、半円状の部分の半径を小さくしなければならず、十分なバネ性を持たせることはできない。
【００１１】
そこで本発明は、小型化が図られ、コンタクトピンがバネ性を十分に有し、コンタクトピンが短く構成され、且つ、種類の異なるモジュラプラグがプラグ挿入穴に挿入されたときに奥まで挿入されることを防止するモジュラジャックを提供することを目的とする。
【課題を解決するための手段】
【００１２】
上記目的を達成するために、本発明は、背壁と該背壁にそれぞれ一端部が接続された上壁、下壁、及び一対の側壁とを有し、上壁の他端、下壁の他端、及び一対の側壁の他端により前端面が規定され、上壁と背壁と下壁と一対の側壁とにより画成され該前端面に開口するプラグ挿入穴が形成されたハウジングと、該ハウジング内に配置され、少なくとも一部が該プラグ挿入穴内に平行に配列された複数のコンタクトピンと、を備え、少なくとも各該コンタクトピンは、該背壁から該下壁の該開口寄りの部分に至るまで延び、該開口寄りの端部が自由端部をなし、該背壁の近傍に配置された部分が基端側の部分をなし、該コンタクトピンの該基端側の部分は、支点部と、該支点部よりも該自由端寄りの部分において該下壁の該開口寄りの部分へ向かう方向へ折り曲げられた折り曲げ部とを有し、該折り曲げ部と自由端との間の部分の一部は、該プラグ挿入穴に挿入されたモジュラプラグの端子に接触可能であり、該支点部から該折り曲げ部までの部分は該支点部を中心として反開口方向へ弾性変形して湾曲可能であり、該下壁の面であって該プラグ挿入穴を画成している面には、該配列された該複数のコンタクトピンの内の少なくとも両端の列の該コンタクトピンの近傍の該開口寄りに設けられ、該プラグ挿入穴の内方へ突出し、該モジュラプラグの溝に収容可能な凸部が設けられているモジュラジャックを提供している。
【００１３】
少なくとも各コンタクトピンは、背壁から下壁の開口寄りの部分に至るまで延び、開口寄りの端部が自由端部をなし、背壁の近傍に配置された部分が基端側の部分をなし、コンタクトピンの基端側の部分は、支点部と、支点部よりも自由端寄りの部分において下壁の開口寄りの部分へ向かう方向へ折り曲げられた折り曲げ部とを有し、折り曲げ部と自由端との間の部分の一部は、プラグ挿入穴に挿入されたモジュラプラグの端子に接触可能であり、支点部から折り曲げ部までの部分は支点部を中心として反開口方向へ弾性変形して湾曲可能であるため、折り曲げ部と自由端との間の部分は支点部を中心として下壁へ向かう方向へ湾曲することができる。このため、上壁と下壁とを結ぶ方向における寸法を小さくして低背化が図られたモジュラジャックにおいてコンタクトピンのバネ性を十分に確保することができ、且つコンタクトピンが短い構成とすることができる。
【００１４】
また、下壁の面であってプラグ挿入穴を画成している面には、配列された複数のコンタクトピンの内の少なくとも両端の列のコンタクトピンの近傍の開口寄りに設けられ、プラグ挿入穴の内方へ突出し、モジュラプラグの溝に収容可能な凸部が設けられているため、モジュラジャックとは種類の異なるモジュラプラグがプラグ挿入穴に挿入された際に奥まで挿入されることを防止することができる。
【００１５】
ここで、該コンタクトピンは、該折り曲げ部よりも該自由端寄りの部分であって該自由端近傍の部分において該下壁に向かう方向へ折り曲げられた第２折り曲げ部を有し、該第１折り曲げ部と該第２折り曲げ部との間の部分の一部は、該プラグ挿入穴に挿入された該モジュラプラグの端子に接触可能であることが好ましい。
【００１６】
コンタクトピンは、折り曲げ部よりも自由端寄りの部分であって自由端近傍の部分において下壁に向かう方向へ折り曲げられた第２折り曲げ部を有し、第１折り曲げ部と第２折り曲げ部との間の部分の一部は、プラグ挿入穴に挿入されたモジュラプラグの端子に接触可能であるため、モジュラプラグが挿入されたときにモジュラプラグの端子が第２折り曲げ部の湾曲した部分に滑らかに接触することができ、モジュラジャックとモジュラプラグとのファーストコンタクトをスムーズにすることができる。このため、モジュラプラグの端子に傷がつきにくくすることができる。
【００１７】
また、第２折り曲げ部と自由端との間の部分を第２折り曲げ部を中心として弾性変形して回動させることができる。このことにより、第２折り曲げ部にバネ性を持たせることができ、バネ性を更に向上させることができる。
【００１８】
また、該コンタクトピンは、該第２折り曲げ部よりも該自由端寄りの部分において該前端面に向かう方向へ折り曲げられた第３折り曲げ部を有することが好ましい。
【００１９】
コンタクトピンは、第２折り曲げ部よりも自由端寄りの部分において前端面に向かう方向へ折り曲げられた第３折り曲げ部を有するため、第３折り曲げ部と自由端との間の部分を第３折り曲げ部を中心として弾性変形して回動させることができ、更に下壁内部に形成されプラグ挿入穴に開口する穴部にコンタクトピンの自由端を挿入させて、バネ性を維持する構成とさせることができる。
【００２０】
また、折り曲げ部と第２折り曲げ部との間の部分であってプラグ挿入穴に挿入されたモジュラプラグの端子に接触可能な部分の位置を、各コンタクトピン同士で容易に揃えることができる。
【００２１】
また、本発明は、底壁と該底壁にそれぞれ一端部が接続された前壁、背壁、及び一対の側壁とを有し、前壁の他端、背壁の他端、及び一対の側壁の他端により上端面が規定され、前壁と背壁と下壁と一対の側壁とにより画成され該上端面に開口するプラグ挿入穴が形成されたハウジングと、該ハウジング内に配置され、少なくとも一部が該プラグ挿入穴内に平行に配列された複数のコンタクトピンと、を備え、少なくとも各該コンタクトピンは、該背壁から該下壁に至るまで延び、該下壁に配置された端部が自由端部をなし、該背壁の近傍に配置された部分が基端側の部分をなし、該コンタクトピンの該基端側の部分は、支点部と、該支点部よりも該自由端寄りの部分において該プラグ挿入穴の内方へ折り曲げられた第１折り曲げ部と、該第１折り曲げ部よりも該自由端寄りの部分であって該第１折り曲げ部の近傍の部分において該下壁へ向かう方向へ折り曲げられた第２折り曲げ部とを有し、該第２折り曲げ部と自由端との間の部分の一部は、該プラグ挿入穴に挿入されたモジュラプラグの端子に接触可能であり、該支点部から該第１折り曲げ部までの部分は該支点部を中心として該プラグ挿入穴の外方へ弾性変形することにより湾曲可能であり、該背壁の面であって該プラグ挿入穴を画成している面は、該配列された該複数のコンタクトピンの内の少なくとも両端の列の該コンタクトピンの近傍の該開口寄りに設けられ、該プラグ挿入穴の内方へ突出し、該モジュラプラグの溝に収容可能な凸部を備えるモジュラジャックを提供している。
【００２２】
コンタクトピンの基端側の部分は、支点部と、支点部よりも自由端寄りの部分においてプラグ挿入穴の内方へ折り曲げられた第１折り曲げ部と、第１折り曲げ部よりも自由端寄りの部分であって第１折り曲げ部の近傍の部分において下壁へ向かう方向へ折り曲げられた第２折り曲げ部とを有し、第２折り曲げ部と自由端との間の部分の一部は、プラグ挿入穴に挿入されたモジュラプラグの端子に接触可能であり、支点部から第１折り曲げ部までの部分は支点部を中心としてプラグ挿入穴の外方へ弾性変形することにより湾曲可能であるため、第１折り曲げ部と第２折り曲げ部との間の部分は支点部を中心として下壁へ向かう方向へ弾性変形して回動し、また、第２折り曲げ部と自由端との間の部分は支点部を中心として下壁へ向かう方向へ弾性変形して湾曲回動することができる。このため、前壁と背壁とを結ぶ方向における寸法を小さくして小型化が図られたモジュラジャックにおいてコンタクトピンのバネ性を十分に確保することができ、且つコンタクトピンが短い構成とすることができる。
【００２３】
また、背壁の面であってプラグ挿入穴を画成している面は、配列された複数のコンタクトピンの内の少なくとも両端の列のコンタクトピンの近傍の開口寄りに設けられ、プラグ挿入穴の内方へ突出し、モジュラプラグの溝に収容可能な凸部を備えるため、モジュラジャックとは種類の異なるモジュラプラグがプラグ挿入穴に挿入された際に奥まで挿入されることを防止することができる。
【００２４】
ここで、該コンタクトピンは、該第２折り曲げ部よりも該自由端寄りの部分であって該第２折り曲げ部近傍の部分において該下壁に向かう方向且つ前壁に向かう方向へ折り曲げられた第３折り曲げ部を有し、該第３折り曲げ部と該自由端との間の部分の一部は、該プラグ挿入穴に挿入されたモジュラプラグの端子に接触可能であることが好ましい。
【００２５】
コンタクトピンは、第２折り曲げ部よりも自由端寄りの部分であって第２折り曲げ部近傍の部分において下壁に向かう方向且つ前壁に向かう方向へ折り曲げられた第３折り曲げ部を有し、第３折り曲げ部と自由端との間の部分の一部は、プラグ挿入穴に挿入されたモジュラプラグの端子に接触可能であるため、第３折り曲げ部と自由端との間の部分を第３折り曲げ部を中心として弾性変形して回動させることができる。このことにより、第３折り曲げ部にバネ性を持たせることができ、バネ性を更に向上させることができる。
【発明の効果】
【００２６】
以上により本発明は、小型化が図られ、コンタクトピンがバネ性を十分に有し、コンタクトピンが短く構成され、且つ、種類の異なるモジュラプラグがプラグ挿入穴に挿入されたときに奥まで挿入されることを防止するモジュラジャックを提供することができる。
【図面の簡単な説明】
【００２７】
【図１】本発明の第１の実施の形態によるモジュラジャックを示す斜視図。
【図２】本発明の第１の実施の形態によるモジュラジャックを示す断面図。
【図３】本発明の第１の実施の形態によるモジュラジャックにモジュラジャックと同種類のモジュラプラグが挿入された様子を示す断面図。
【図４】本発明の第２の実施の形態によるモジュラジャックを示す斜視図。
【図５】本発明の第２の実施の形態によるモジュラジャックにモジュラジャックと同種類のモジュラプラグが挿入された様子を示す断面図。
【図６】本発明の第１の実施の形態によるモジュラジャックの変形例を示す断面図。
【発明を実施するための形態】
【００２８】
本発明の第１の実施の形態によるモジュラジャックについて図１乃至図３に基づき説明する。モジュラジャック１は、ＬＡＮケーブルが接続されるＲＪ４５タイプのモジュラジャックであり、図２に示すように樹脂製のコネクタ挿入部３と、樹脂製の端子保持部４と、樹脂製のカバー５と、金属ケース６と、金属ピン７とを有している。
【００２９】
以下の説明において、端子保持部４からからコネクタ挿入部３に向かう方向を前方向とし、その逆方向を後方向として前後方向を定義する。また前後方向と直交する方向であって、コネクタ挿入部３から金属ケース６の後述の上板６３に向かう方向を上方向とし、その逆方向を下方向として上下方向を定義する。また、図１における略右方向を右方向し、略左方向を左方向として左右方向を定義する。モジュラジャック１は、左右対称に構成されている。よって左右方向の後述する外側面３２Ａの説明については、一の外側面３２Ａ側のみについて説明する。
【００３０】
図１、図２に示すように、コネクタ挿入部３は、下壁３１と一対の側壁３２、３２と、背壁３３と、上壁３４とを有しており、これらの壁によって内部にプラグ挿入穴３ａが画成された略直方体の枠体が構成されている。下壁３１の一端、一対の側壁３２、３２の一端、及び上壁３４の一端は背壁３３に接続されており、下壁３１の他端、一対の側壁３２、３２の他端、上壁３４の他端は前端面３Ａを構成する。
【００３１】
プラグ挿入穴３ａは前端面３Ａにおいて開口３ｂを有しており、開口３ｂからプラグ挿入穴３ａ内にモジュラプラグ９（図３）を挿入可能である。プラグ挿入穴３ａ内には後述する８本のコンタクトピン３Ｂが平行に配置されて設けられている。
【００３２】
側壁３２の外面は外側面３２Ａを構成している。外側面３２Ａには、それぞれ係合突起３２Ｂが設けられている。係合突起３２Ｂは、外側面３２Ａの前部であって上下方向における中央部よりも少し下方に配置されている。係合突起３２Ｂは前側から後側に向かうにつれて外側面３２Ａからの突出量が増えるクサビ形状をなしている。
【００３３】
図１に示すように下壁３１の後端部であって左右方向両端部分には、浮き上がり防止片３５が設けられている。浮き上がり防止片３５は、外側面３２Ａの最下端から延出している基部３５Ａと、基部３５Ａの延出端から上方向に延出している腕部３５Ｂとにより略Ｌ字状に構成されている。基部３５Ａには、上下方向に貫通方向が指向する図示せぬピン貫通孔が形成されている。
【００３４】
金属ピン７は、基部３５Ａの図示せぬピン貫通孔を貫通しており、長方形状をなす頭部７１と、頭部７１に一体接続され先端部分が先細り形状をなすピン部７２とを有している。ピン部７２が図示せぬピン貫通孔を貫通することにより金属ピンは基部３５Ａに固定されている。
【００３５】
図２に示すように背壁３３の下部には、前後方向に貫通するコンタクトピン貫通孔３３ａが形成されている。コンタクトピン貫通孔３３ａは、背壁３３の後面から前面に向かうに従い斜め下方へ向かい、途中から前方向へ伸びている。また、前後方向における下壁３１の上面の略中央部分には、下方へ窪んだ下壁凹部３１ａが形成されている。下壁凹部３１ａは、下壁３１の上面に開口し、下壁３１内部において当該開口よりも前方へ延出して形成されている。
【００３６】
下壁３１の一部には凸部３１Ａが設けられている。凸部３１Ａは、平行に配置された８本のコンタクトピン３Ｂのうちの両端のコンタクトピン３Ｂの近傍であってこれらのコンタクトピン３Ｂの前方に設けられており、プラグ挿入穴３ａの内方であって上方に突出している。凸部３１Ａは、ＲＪ４５タイプのモジュラプラグ９がプラグ挿入穴３ａ内に挿入され奥まで差し込まれたときに、モジュラプラグ９に平行において形成された８本の溝のうちの両端の溝内に収納されるような大きさを有している。また凸部３１Ａは、ＲＪ１１タイプのモジュラプラグがプラグ挿入穴３ａ内に挿入されたときに、当該モジュラプラグの前端面３Ａの下端部に当接し、当該モジュラプラグを奥まで挿入できない程度の大きさを有している。
【００３７】
また、下壁３１の下面には、下方へ突出する脚部３６が一対設けられており、図示せぬ実装基板に形成された穴に脚部３６が挿入されることにより、モジュラジャック１が図示せぬ実装基板に固定されるように構成されている。
【００３８】
端子保持部４は、コネクタ挿入部３の後側に接続されている。端子保持部４は、一対の側壁４１と前壁４２と下壁４３とを備えており、上部及び後部が開口して内部が中空状をなしている。側面４１は、一対の側壁３２、３２の側面３２Ａと面一をなす。上下方向における前壁４２の前面の略中央部分には、後方へ窪んだ凹部４２ａが形成されている。中空状の内部にはコンタクトピン３Ｂと電気的に接続された回路基板４４が配置されている。端子保持部４の下方には、回路基板４４に接続されると共に図示せぬ実装基板に接続される複数の実装端子である実装端子群４Ａが略垂下されて設けられている。
【００３９】
コンタクトピン３Ｂは厚さが０．２５ｍｍ程度であり、コンタクトピン３Ｂの後端部は、回路基板４４に形成された貫通孔を貫通している。コンタクトピン３Ｂは後端部から前方へ伸び、前壁４２を貫通している。そして下方へ折れ曲がり（図２中の基部折り曲げ部Ｖ）、前壁４２に沿って延び、前壁４２の凹部４２ａに対向する位置において途中で折れ曲がり（図２中の折り曲げ部Ｘ）、前下方へ斜めに延びてコンタクトピン貫通孔３３ａを貫通し、プラグ挿入穴３ａ内に延び、下壁３１に至る。そして下壁凹部３１ａの開口の前端近傍において下方へ折れ曲がり（図２中の第２折り曲げ部Ｙ）、下壁凹部３１ａ内に入り、前方へ折れ曲がっている（図２中の第３折り曲げ部Ｚ）。そして、コンタクトピン３Ｂの前端部たる自由端Ｆの部分は、下壁凹部３１ａ内であって下壁凹部３１ａの開口よりも前方の位置まで延び、下壁凹部３１ａを画成している凹部画成天井面３１Ｂに当接している。
【００４０】
コンタクトピン３Ｂの一部であって折り曲げ部Ｘから第２折り曲げ部Ｙの間の部分は、モジュラプラグ９がプラグ挿入穴３ａ内に挿入されたときにモジュラプラグ９の端子９１に接触可能である。また、基部折り曲げ部Ｖから折り曲げ部Ｘの間の部分は、端子保持部４の前壁４２の凹部４２ａの開口上端に対向配置されているため、当該開口上端に当接して弾性変形して湾曲されることができるように構成されている。即ち、図２において二点鎖線で示すように、コンタクトピン３Ｂの一部であって当該開口上端に当接する部分（図２中のＷ点）を支点として、Ｗ点から自由端Ｆまでの部分は後方へ回動可能である。
【００４１】
但し、二点鎖線で示したコンタクトピン３Ｂの状態は説明の便宜上Ｗ点から自由端Ｆまでの部分が全く弾性変形していない状態を図示したものであり、モジュラプラグ９がプラグ挿入穴３ａに挿入されたときには、実際には、図２において二点鎖線で示すような状態とはならず、コンタクトピン３Ｂの一部であって折り曲げ部Ｘから第２折り曲げ部Ｙの間の部分をモジュラプラグ９の端子９１が押圧することで、折り曲げ部Ｘを支点として支点よりも自由端Ｆまでの部分は下壁３１に接近するように弾性変形する等、全体として弾性変形することで、図３に示すような状態となる。
【００４２】
図２に示すようにカバー５は、端子保持部４の上部開口及び後部開口を覆うように配置されており、端子保持部４に装着されている。カバー５は、上壁３４の上面と面一となる上面を有しており、また、一対の側壁３２、３２の外側面３２Ａと面一となる側面を有している。
【００４３】
金属ケース６は、薄板の金属板が折り曲げられて組立てられており、シールドケースとして機能する。金属ケース６は、前板６１と、一対の側板６２と、上板６３と、底面６４とを有しており、コネクタ挿入部３の上面全体、側面全体、下面の前端部、プラグ挿入穴３ａの開口３ｂを除く前面全体を覆っている。前板６１には、プラグ挿入孔３ｂと連通する挿入孔６１ａが形成されている。また前板６１において挿入孔６１ａの輪郭を構成する左右方向両側縁には、プラグ挿入穴３ａ内に挿入されてモジュラプラグ９（図３）をプラグ挿入穴３ａ内に導く導入板６１Ａ、６１Ａが設けられている。側板６２には、係合突起３２Ｂと係合する係合孔６２ａが形成されている。
【００４４】
各コンタクトピン３Ｂは、背壁３３から、下壁３１の一部であって開口３ｂ寄りの部分に至るまで延び、当該開口３ｂ寄りの端部が自由端Ｆの部分をなし、背壁３３の近傍に配置された部分が基端側の部分をなし、コンタクトピン３Ｂの基端側の部分は、支点部Ｗと、支点部Ｗよりも自由端Ｆ寄りの部分において下壁３１の一部であって開口３ｂ寄りの部分へ向かう方向へ折り曲げられた折り曲げ部Ｘとを有し、折り曲げ部Ｘと自由端Ｆとの間の部分の一部は、プラグ挿入穴３ａに挿入されたモジュラプラグ９の端子９１に接触可能であり、支点部Ｗから折り曲げ部Ｘまでの部分は支点部Ｗを中心として反開口方向へ弾性変形して湾曲可能であるため、折り曲げ部Ｘと自由端Ｆとの間の部分は支点部Ｗを中心として下壁３１へ向かう方向へ湾曲することができる。このため、コンタクトピン３Ｂのバネ性を十分に確保することができ、且つコンタクトピン３Ｂが短い構成とすることができる。
【００４５】
また、コンタクトピン３Ｂが、下壁３１において所定の半径を有する半円状に湾曲させた部分を有していない構成とすることができるため、下壁３１を薄くしても下壁３１からプラグ挿入穴３ａ内にコンタクトピン３Ｂの半円状の部分が大きく突出することがなく、上壁３４と下壁３１とを結ぶ方向における寸法を小さくして低背化が図られたモジュラジャック１においてもバネ性を十分に確保することができる。
【００４６】
また、下壁３１の面であってプラグ挿入穴３ａを画成している面には、配列された複数のコンタクトピン３Ｂの内の両端の列のコンタクトピン３Ｂの近傍であって開口３ｂ寄りの部分に設けられ、プラグ挿入穴３ａの内方へ突出し、モジュラプラグ９の溝に収容可能な凸部３１Ａが設けられているため、モジュラジャック１とは種類の異なるモジュラプラグがプラグ挿入穴３ａに挿入された際に奥まで挿入されることを防止することができる。
【００４７】
また、コンタクトピン３Ｂは、折り曲げ部Ｘよりも自由端Ｆ寄りの部分であって自由端Ｆ近傍の部分において下壁３１に向かう方向へ折り曲げられた第２折り曲げ部Ｙを有し、第１折り曲げ部Ｘと第２折り曲げ部Ｙとの間の部分の一部は、プラグ挿入穴３ａに挿入されたモジュラプラグ９の端子９１に接触可能であるため、モジュラプラグ９が挿入されたときに、モジュラプラグ９の端子９１が第２折り曲げ部Ｙの湾曲した部分に滑らかに接触することができ、モジュラジャック１とモジュラプラグ９とのファーストコンタクトをスムーズにすることができる。このため、モジュラプラグ９の端子９１に傷がつきにくくすることができる。
【００４８】
また、第２折り曲げ部Ｙと自由端Ｆとの間の部分を第２折り曲げ部Ｙを中心として弾性変形して回動させることができる。このことにより、第２折り曲げ部Ｙにバネ性を持たせることができ、バネ性を更に向上させることができる。
【００４９】
また、コンタクトピン３Ｂは、第２折り曲げ部Ｙよりも自由端Ｆ寄りの部分において前端面３Ａに向かう方向へ折り曲げられた第３折り曲げ部Ｚを有するため、第３折り曲げ部Ｚと自由端Ｆとの間の部分を第３折り曲げ部Ｚを中心として弾性変形して回動させることができる。更に下壁３１に形成された下壁凹部３１ａにコンタクトピン３Ｂの自由端Ｆを挿入させて、バネ性を維持する構成とさせることができる。
【００５０】
また、下壁凹部３１ａを画成している凹部画成天井面３１Ｂに自由端Ｆの部分を当接させることで、折り曲げ部Ｘと第２折り曲げ部Ｙとの間の部分であってプラグ挿入穴３ａに挿入されたモジュラプラグ９の端子９１に接触可能な部分の位置を、各コンタクトピン３Ｂ同士で容易に揃えることができる。
【００５１】
次に第２の実施の形態によるモジュラジャックについて図４乃至図５に基づき説明する。第２の実施の形態によるモジュラジャック１０１は、コンタクトピン１０３Ｂの形状が第１の実施の形態におけるコンタクトピン３Ｂの形状とは異なる。また、モジュラジャック１０１のプラグ挿入穴１０３ａが上方へ向けて開口している点で、第１の実施の形態によるモジュラジャック１とは異なる。
【００５２】
モジュラジャック１０１は、第１の実施の形態によるモジュラジャック１と同様に、ＬＡＮケーブルが接続されるＲＪ４５タイプのモジュラジャックであり、図５に示すように、樹脂製のコネクタ挿入部１０３と、樹脂製の端子保持部１０４と、樹脂製のカバー１０５と、金属ケース１０６と、金属ピン１０７とを有している。
【００５３】
以下の説明において、端子保持部１０４からからコネクタ挿入部１０３に向かう方向を前方向とし、その逆方向を後方向として前後方向を定義する。また前後方向と直交する方向であって、コネクタ挿入部１０３から金属ケース１０６の後述の上板１６３に向かう方向を上方向とし、その逆方向を下方向として上下方向を定義する。また、図４において右下方向を右方向し、左上方向を左方向として左右方向を定義する。モジュラジャック１０１は、左右対称に構成されている。よって左右方向の後述する外側面１３２Ａの説明については、一の外側面１３２Ａ側のみについて説明する。
【００５４】
コネクタ挿入部１０３は、下壁１３１と一対の側壁１３２、１３２と、背壁１３３と、前壁１３４とを有しており、これらの壁によって内部にプラグ挿入穴１０３ａが画成された略直方体の枠体が構成されている。一対の側壁１３２、１３２の一端、背壁１３３の一端、及び前壁１３４の一端は下壁１３１に接続されており、一対の側壁１３２、１３２の他端、背壁１３３の他端、及び前壁１３４の他端は上端面１０３Ａを構成する。
【００５５】
プラグ挿入穴１０３ａは上端面１０３Ａにおいて開口１０３ｂを有しており、開口１０３ｂからプラグ挿入穴１０３ａ内にモジュラプラグ９（図５）を挿入可能である。プラグ挿入穴１０３ａ内には後述する８本のコンタクトピン１０３Ｂが平行に配置されて設けられている。
【００５６】
側壁１３２の外面は外側面１３２Ａを構成している。外側面１３２Ａには、それぞれ第一係合突起１３２Ｂが設けられている。第一係合突起１３２Ｂは、外側面１３２Ａの前部であって上下方向における略中央部に配置されている。第一係合突起１３２Ｂは上側から下側に向かうにつれて外側面１３２Ａからの突出量が増えるクサビ形状をなしている。
【００５７】
前壁１３４には、コネクタ挿入部１０３の上端面１０３Ａに開口し、上端面１０３Ａから下方に向かって下壁１３１に至るまで延び、プラグ挿入穴１０３ａ内外を連通させる溝１３４ａが形成されている。また側壁１３２の外側面１３２Ａの一部であって下壁１３１に接続されている部分には、浮き上がり防止片１３５が設けられている。
【００５８】
図４に示すように浮き上がり防止片１３５は、外側面１３２Ａの最下端から延出している基部１３５Ａと、基部１３５Ａの延出端から上方向に延出している腕部１３５Ｂとにより略Ｌ字状に構成されている。腕部１３５Ｂと外側面１３２Ａとの間の空間は、隙間である溝部１３５ａをなす。
【００５９】
基部１３５Ａには、上下方向に貫通方向が指向する図示せぬピン貫通孔が形成されている。図示せぬピン貫通孔は、前後方向において所定の間隔を隔てて同一形状で２つ配置されている。
【００６０】
金属ピン１０７は、２つの図示せぬピン貫通孔の内の前側の図示せぬピン貫通孔に貫通しており、第１の実施の形態における金属ピン７と同一形状をなしている。
【００６１】
図５に示すように背壁１３３の下部には、前後方向に貫通するコンタクトピン貫通孔１３３ａが形成されている。コンタクトピン貫通孔１３３ａは、背壁１３３の後面から前面に向かうように形成されている。また、背壁１３３には凸部１３３Ａが設けられている。凸部１３３Ａは、平行に配置された８本のコンタクトピン１０３Ｂのうちの両端のコンタクトピン１０３Ｂの近傍であってこれらのコンタクトピン１０３Ｂの前方に設けられており、プラグ挿入穴１０３ａの内方であって前方に突出している。凸部１３３Ａは、第１の実施の形態における凸部３１Ａと同一形状をなしている。従って、ＲＪ４５タイプのモジュラプラグ９がプラグ挿入穴１０３ａ内に挿入され奥まで差し込まれたときに、凸部１３３Ａはモジュラプラグ９に平行に形成された８本の溝のうちの両端の溝内に収納される。また凸部１３３Ａは、ＲＪ１１タイプのモジュラプラグがプラグ挿入穴１０３ａ内に挿入されたときに、当該モジュラプラグの前端面の下端部に当接し、モジュラプラグを奥まで挿入できないように構成されている。
【００６２】
図５に示すように下壁１３１の後部上面には、下壁１３１の上面に開口し下方へ窪んだ下壁凹部１３１ａが形成されている。また、下壁３１の下面には、下方へ突出する脚部１３６が一対設けられており、図示せぬ実装基板に形成された穴に脚部１３６が挿入されることにより、モジュラジャック１０１が図示せぬ実装基板に固定されるように構成されている。
【００６３】
図５に示すように端子保持部１０４は、コネクタ挿入部１０３の後側に接続されている。端子保持部１０４は、前壁１４２と図示せぬ一対の側壁と下壁１４３とを備えており、上部及び後部が開口して内部が中空状をなしている。中空状の内部にはコンタクトピン１０３Ｂと電気的に接続された回路基板１４４が配置されている。
【００６４】
端子保持部１０４の図示せぬ側面は、一対の側壁１３２、１３２の側面１３２Ａと面一になるように構成されている。側面には、それぞれ第二係合突起１４１Ｃが設けられている。第二係合突起１４１Ｃは、側面において上下方向における略中央位置に配置されている。第二係合突起１４１Ｃは第一係合突起１３２Ｂと同形状を成しており、上側から下側に向かうに連れて外側面１３２Ａからの突出量が増えるクサビ形状をなしている。端子保持部４の下方には、回路基板１４４に接続されると共に図示せぬ実装基板に接続される複数の実装端子である実装端子群１０４Ａが略垂下されて設けられている。
【００６５】
コンタクトピン１０３Ｂは、厚さが０．２５ｍｍ程度であり８本設けられている。コンタクトピン１０３Ｂの後端部は、回路基板１４４に形成された穴を貫通している。コンタクトピン１０３Ｂは後端部から前方へ伸び、前壁１４２を貫通している。そして下方へ折れ曲がり（図５中の基部折り曲げ部Ｖ）、前壁１４２に沿って延び、途中で折れ曲がり（図５中の折り曲げ部Ｘ）、前方へ延びてコンタクトピン貫通孔１３３ａを貫通している。そして下方へ折れ曲がり（図５中の第２折り曲げ部Ｙ）、プラグ挿入穴１０３ａ内において下方へ少し延び前下方へ折れ曲がり（図５中の第３折り曲げ部Ｚ）、プラグ挿入穴１０３ａ内に延びている。そして、コンタクトピン１０３Ｂの前端部は下壁凹部１３１ａ内に入り、モジュラプラグ９が挿入されていない状態のときには、下壁凹部１３１ａの開口を画成している開口部１３１Ａに当接している。
【００６６】
コンタクトピン１０３Ｂの一部であって第３折り曲げ部Ｚよりも自由端Ｆ側の部分は、モジュラプラグ９がプラグ挿入穴１０３ａ内に挿入されたときにモジュラプラグ９の端子９１に接触可能である。また、基部折り曲げ部Ｖから折り曲げ部Ｘの間の部分は、端子保持部１０４の前壁１４２に対向配置されているため、当該前面に当接して弾性変形して曲げられることができるように構成されている。即ち、コンタクトピン１０３Ｂの一部であって当該前面に当接する部分（図５中のＷ点）を支点として、Ｗ点から自由端Ｆまでの部分は後方へ回動可能である。モジュラプラグ９がプラグ挿入穴１０３ａに挿入されたときには、第３折り曲げ部Ｚよりも自由端Ｆ側の部分をモジュラプラグ９の端子９１が押圧することで、第２折り曲げ部Ｙよりも自由端Ｆ寄りの部分は後方に回動し、第３折り曲げ部Ｚよりも自由端Ｆ寄りの部分も下壁１３１に接近するように弾性変形する等、全体として弾性変形して、図５に示すような状態となる。
【００６７】
カバー１０５（図５）は、端子保持部１０４の上部開口及び後部開口を覆うように配置されており、端子保持部１０４に装着されている。カバー１０５は、上端面１０３Ａと面一となる上面を有しており、また、一対の側壁１３２、１３２の外側面１３２Ａと面一となる側面を有している。
【００６８】
金属ケース１０６は、薄板の金属板が折り曲げられて組立てられており、シールドケースとして機能する。金属ケース１０６は、前板１６１と、一対の側板１６２と、上板６３と、後板１６４とを有しており、コネクタ挿入部１０３の上面全体及び側面全体、端子保持部１０４の上面全体及び側面全体、カバー１０５の上面全体及び側面全体、コネクタ挿入部１０３の前面の上部、及びカバー５の後面の上部を覆っている。上板１６３には、プラグ挿入孔１０３ｂと連通する挿入孔１６１ａが形成されている。また上板１６３において挿入孔１６１ａの輪郭を構成する左右方向両側縁には、プラグ挿入穴１０３ａ内に挿入されてプラグをプラグ挿入穴１０３ａ内に導く導入板１６１Ａ、１６１Ａが設けられている。
【００６９】
側板６２には、第一係合突起１３２Ｂ、第二係合突起１４１Ｃとそれぞれ係合する第一係合孔１６２ａ、第二係合孔１６２ｂが形成されると共に、外方突出部１６５が設けられている。外方突出部１６５は、側板１６２の下部に設けられており、略長方形状の領域全体が僅かに金属ケース１０６の外方へ突出して構成されている。外方突出部１６５は、金属ケース１０６の一部であって腕部１３５Ｂに対向する部分に設けられており、図１に示すように溝部１３５ａ内に配置される。外方突出部１６５と外側面１３２Ａとにより金属ピン１０７を挟むように配置される。
【００７０】
コンタクトピン１０３Ｂの基端側の部分は、支点部Ｗと、支点部Ｗよりも自由端Ｆ寄りの部分においてプラグ挿入穴１０３ａの内方へ折り曲げられた第１折り曲げ部Ｘと、第１折り曲げ部Ｘよりも自由端Ｆ寄りの部分であって第１折り曲げ部Ｘの近傍の部分において下壁１３１へ向かう方向へ折り曲げられた第２折り曲げ部Ｙとを有し、第２折り曲げ部Ｙと自由端Ｆとの間の部分の一部は、プラグ挿入穴１０３ａに挿入されたモジュラプラグ９の端子９１に接触可能であり、支点部Wから第１折り曲げ部Ｘまでの部分は支点部Ｗを中心としてプラグ挿入穴１０３ａの外方へ弾性変形することにより湾曲可能であるため、第１折り曲げ部Ｘと第２折り曲げ部Ｙとの間の部分は支点部Ｗを中心として下壁１３１へ向かう方向へ弾性変形して回動し、また、第２折り曲げ部Ｙと自由端Ｆとの間の部分は支点部Ｗを中心として下壁１３１へ向かう方向へ弾性変形して湾曲回動することができる。このため、コンタクトピン１０３Ｂのバネ性を十分に確保することができ、且つコンタクトピン１０３Ｂが短い構成とすることができる。
【００７１】
また、コンタクトピン１０３Ｂが、背壁１３３に配置され所定の半径を有する半円状に湾曲させた部分を有していない構成とすることができるため、背壁１３３を薄くしても背壁１３３からプラグ挿入穴１０３ａ内にコンタクトピン１０３Ｂの半円状の部分が大きく突出することがなく、前壁１３４と背壁１３３とを結ぶ方向における寸法を小さくして小型化が図られたモジュラジャック１０１においてもバネ性を十分に確保することができる。
【００７２】
また、背壁１３３の面であってプラグ挿入穴１０３ａを画成している面は、配列された複数のコンタクトピン１０３Ｂの内の少なくとも両端の列のコンタクトピン１０３Ｂの近傍の開口１０３ｂ寄りに設けられ、プラグ挿入穴１０３ａの内方へ突出し、モジュラプラグ９の溝に収容可能な凸部１３３Ａを備えるため、モジュラジャック１０１とは種類の異なるモジュラプラグがプラグ挿入穴１０３ａに挿入された際に奥まで挿入されることを防止することができる。
【００７３】
またコンタクトピン１０３Ｂは、第２折り曲げ部Ｙよりも自由端Ｆ寄りの部分であって第２折り曲げ部Ｙ近傍の部分において下壁１３１に向かう方向且つ前壁１３４に向かう方向へ折り曲げられた第３折り曲げ部Ｚを有し、第３折り曲げ部Ｚと自由端Ｆとの間の部分の一部は、プラグ挿入穴１０３ａに挿入されたモジュラプラグ９の端子９１に接触可能であるため、第３折り曲げ部Ｚと自由端Ｆとの間の部分を第３折り曲げ部Ｚを中心として弾性変形して回動させることができる。このことにより、第３折り曲げ部Ｚにバネ性を持たせることができ、バネ性を更に向上させることができる。
【００７４】
本発明のモジュラジャックは、上述した実施の形態に限定されず、特許請求の範囲に記載した範囲で種々の変形や改良が可能である。例えば、第１の実施の形態では、コンタクトピン３Ｂの後端部は、回路基板４４に形成された穴を貫通し、後端部から前方へ伸び、前壁４２を貫通し、下方へ折れ曲がり（図２中のＶ点）、前壁４２に沿って延び、前壁４２の前面の凹部４２ａに対向する位置において途中で折れ曲がって（図２中のＸ点）いたが、この形状に代えて、図６に示すような形状をなしていてもよい。即ち、モジュラジャック２０１のコンタクトピン２０３Ｂの後端部たる基端側の部分は前壁２４２の後ろ側に配置され、コンタクトピン２０３Ｂは前壁２４２を貫通し、上方へ折れ曲がり（図６中のＶ点）、前壁２４２に沿って延び、前壁２４２の前面の凹部２４２ａに対向する位置において途中で折れ曲がって（図６中のＸ点）いてもよい。
【００７５】
また、第２の実施の形態では、端子保持部１０４の前壁１４２には凹部が形成されていなかったが、第１の実施の形態における前壁４２の凹部４２ａと同様に前壁の前面に開口する凹部が形成されていてもよい。凹部が形成されている場合には、第１の実施の形態と同様に、コンタクトピン１０３Ｂの一部であって当該凹部の開口上端に当接する部分を支点として、支点から自由端Ｆまでの部分を後方へ回動可能とすることができる。
【００７６】
また、本実施の形態では、コンタクトピン１０３Ｂは第２折り曲げ部Ｙや第３折り曲げ部Ｚを有していたが、第３折り曲げ部Ｚを有していない構成であってもよい。更に、第１の実施の形態において第２折り曲げ部Ｙを有していない構成としてもよい。第１の実施の形態においてコンタクトピンが第３折り曲げ部Ｚを有していない場合には、折り曲げ部Ｘと自由端との間の部分であってプラグ挿入穴３ａに挿入されたモジュラプラグ９の端子９１に接触可能な部分の位置を各コンタクトピン３Ｂ同士で揃えるために、折り曲げ部Ｘと自由端との間の部分の一部が、コンタクトピン貫通孔３３ａを画成している背壁の一部に当接する構成として位置決めすればよい。
【００７７】
また、凸部３１Ａ、１３３Ａは平行に配置された８本のコンタクトピン３Ｂ、１０３Ｂのうちの両端のコンタクトピン３Ｂ、１０３Ｂの近傍であってこれらのコンタクトピン３Ｂ、１０３Ｂの前方に設けられていたが、この位置のみに設けられていることに限定されない。従って、この位置に加えて、他のコンタクトピン３Ｂ、１０３Ｂの近傍であってこれらのコンタクトピン３Ｂ、１０３Ｂの前方に設けられていてもよい。
【産業上の利用可能性】
【００７８】
本発明のモジュラジャックは、特にＬＡＮケーブルが接続されるモジュラジャックの分野において特に有用である。
【符号の説明】
【００７９】
１、１０１          モジュラジャック
３、１０３          コネクタ挿入部
３Ａ                前端面
３ａ、１０３ａ      プラグ挿入穴
３Ｂ、１０３Ｂ      コンタクトピン
３ｂ                開口
４、１０４          端子保持部４
５、１０５          カバー
６、１０６          金属ケース
７、１０７          金属ピン
９                  モジュラプラグ
３１、１３１        下壁
３１Ａ、１３３Ａ    凸部
３２、１３２        一対の側壁
３３、１３３        背壁
３４、１３４        上壁
９１                端子
Ｆ                  自由端
Ｗ                  支点
Ｘ                  折り曲げ部
Ｙ                  第２折り曲げ部
Ｚ                  第３折り曲げ部
【図１】
2012123938.tif 000003
【図２】
2012123938.tif 000004
【図３】
2012123938.tif 000005
【図４】
2012123938.tif 000006
【図５】
2012123938.tif 000007
【図６】
2012123938.tif 000008